(57)【要約】【課題】外枠吊り下げ用ハンガー金具の締付用ボルトの締め付け作業を短時間で行なえるようにする。【解決手段】下端の上下方向に向く係止片４と、雌ねじ孔５を備えた上端の水平な板部６と、係止片４と上端の水平な板部６との間を一体につなぐ板部７と、雌ねじ孔５に螺合する雄ねじ部８を備えた締付用ボルト９とからなり、上端の水平な板部６に形成された開口部１０に一対のボルト支持部材１１，１２を回り止め状態で嵌め込み、ボルト支持部材１１，１２を上端の水平な板部６に対しばね１３により下側から受けて上向きに付勢し、ボルト支持部材１１，１２の互いに対向する内面に形成された雌ねじ１１ａ，１２ａからなる雌ねじ孔５に締付用ボルト９の雄ねじ部８を螺合させるようになっており、締付用ボルト９をばね１３力に抗して下方に押すことにより一対のボルト支持部材１１，１２間の間隔が拡がり、締付用ボルト９を下方に押し込むようにした。【選択図】    図２
2006233459.tif 000002
【特許請求の範囲】
【請求項１】
天井点検口の外枠の上端のフランジ部に内側より係合する下端の上下方向に向く係止片と、雌ねじ孔を備えた上端の水平な板部と、前記係止片と上端の水平な板部との間を一体につなぐ板部と、前記雌ねじ孔に螺合する雄ねじ部を備えた締付用ボルトとからなる天井点検口の外枠吊り下げ用ハンガー金具であって、前記上端の水平な板部に形成された開口部に一対のボルト支持部材を回り止め状態で嵌め込み、このボルト支持部材を上端の水平な板部に対しばねにより下側から受けて上向きに付勢し、このボルト支持部材の互いに対向する内面に形成された雌ねじからなる雌ねじ孔に前記締付用ボルトの雄ねじ部を螺合させるようになっており、締付用ボルトを前記ばね力に抗して下方に押すことにより一対のボルト支持部材間の間隔が拡がり、締付用ボルトを下方に押し込むようにしたことを特徴とする天井点検口の外枠吊り下げ用ハンガー金具。
【発明の詳細な説明】
【技術分野】
【０００１】
本発明は、天井点検口の外枠吊り下げ用ハンガー金具に関するものである。
【背景技術】
【０００２】
従来から天井点検口の外枠吊り下げ用ハンガー金具としては、特許文献１に開示されているような、外枠の上下の爪間に形成されたガイド溝に係合する下端の上下方向に向く係止片と、雌ねじ孔が形成された上端の板部と、前記係止片と上端の板部との間を一体につなぐ板部と、前記雌ねじ孔に螺入する雄ねじ部を備えた締付用ボルトとから構成されたものが知られている。
【０００３】
そして、この外枠吊り下げ用ハンガー金具を用いて外枠を吊り下げるに際し、天井点検口配設位置において天井下地および天井仕上げ材を切り欠くことにより形成された開口部に外枠を嵌め込み、外枠の下端において外側に張り出すフランジ部の外周を前記天井材の下端に当てがった状態を保持すべく外枠の前記ガイド溝に外枠吊り下げ用ハンガー金具の前記係止片を係合させるとともに前記上端の板部の雌ねじ孔に雄ねじ部が螺入する締付用ボルトを締め付けて雄ねじ部の下端を天井下地の上側に位置するチャンネル材の上面に圧接させることにより外枠の取り付けが行なわれていた。なお、外枠は平面形状が矩形であり、外枠の一対の対向部において外枠に外枠吊り下げ用ハンガー金具の前記係止片を係合させるのである。
【特許文献１】特開２００１−１７３２１８号公報
【発明の開示】
【発明が解決しようとする課題】
【０００４】
上記従来の天井点検口の外枠吊り下げ用ハンガー金具に設けられる締付用ボルトは外枠吊り下げ用ハンガー金具の上端の板部に形成された雌ねじ孔に螺入しており、前記外枠の前記ガイド溝に外枠吊り下げ用ハンガー金具の前記係止片を係合させるとき締付用ボルトの下端と係止片との間に距離をおいて係止片が外枠のガイド溝に係合しやすくしていた。このように締付用ボルトの下端と係止片との間に距離をおく、即ち締付用ボルトの雄ねじ部の下端が雌ねじ孔のすぐ下側近くに位置するように締付用ボルトを持ち上げた状態から雄ねじ部の下端をチャンネル材の上面に圧接させるまで締付用ボルトを締め込まなければならず、締付用ボルトの締め込み量が多くなって、締め付けに時間がかかるという問題があった。
【０００５】
本発明の目的は、このような課題を解決するものであり、外枠に外枠吊り下げ用ハンガー金具の係止片を係合させた状態で締付用ボルトを締め付けて締付用ボルトの下端をチャンネル材（取付用野縁）の上面に圧接させる作業を短時間で行なえ、作業効率の向上を図ることができる天井点検口の外枠吊り下げ用ハンガー金具を提供することにある。
【課題を解決するための手段】
【０００６】
本発明の請求項１に記載の天井点検口の外枠吊り下げ用ハンガー金具は、天井点検口の外枠の上端のフランジ部に内側より係合する下端の上下方向に向く係止片と、雌ねじ孔を備えた上端の水平な板部と、前記係止片と上端の水平な板部との間を一体につなぐ板部と、前記雌ねじ孔に螺合する雄ねじ部を備えた締付用ボルトとからなる天井点検口の外枠吊り下げ用ハンガー金具であって、前記上端の水平な板部に形成された開口部に一対のボルト支持部材を回り止め状態で嵌め込み、このボルト支持部材を上端の水平な板部に対しばねにより下側から受けて上向きに付勢し、このボルト支持部材の互いに対向する内面に形成された雌ねじからなる雌ねじ孔に前記締付用ボルトの雄ねじ部を螺合させるようになっており、締付用ボルトを前記ばね力に抗して下方に押すことにより一対のボルト支持部材間の間隔が拡がり、締付用ボルトを下方に押し込むようにしたことを特徴とする。
【発明の効果】
【０００７】
以上のように、本発明の天井点検口の外枠吊り下げ用ハンガー金具は、外枠の上端のフランジ部に外枠吊り下げ用ハンガー金具の係止片を係合させた状態で締付用ボルトを締め付けて締付用ボルトの下端を取付用野縁の上面に圧接させるとき、締付用ボルトの最終締め付け直前の状態まで締付用ボルトを押し込むことにより締付用ボルトの締め込み量が少なくなり、作業を短時間で行なえ、作業効率の向上を図ることができる。
【発明を実施するための最良の形態】
【０００８】
以下、本発明の一実施の形態について、図１〜図４を用いて具体的に説明する。
本実施の形態の天井点検口の外枠吊り下げ用ハンガー金具１は基本的には、天井点検口の外枠２の上端のフランジ部３に内側より係合する下端の上下方向に向く係止片４と、雌ねじ孔５を備えた上端の水平な板部６と、前記係止片４と上端の水平な板部６との間を一体につなぐ板部７と、前記雌ねじ孔５に螺入する雄ねじ部８を備えた締付用ボルト９とから構成されている点は前記特許文献１で示される従来のものとほぼ同じである。
【０００９】
前記特許文献１で示される従来のものと異なる点は、上端の水平な板部６に形成された長方形の開口部１０に一対のボルト支持部材１１，１２を嵌め込み、このボルト支持部材１１，１２を板部６に対し金属線を折り曲げて作られたばね１３により下側から受けて上向きに付勢し、ボルト支持部材１１，１２の互いに対向する内面に形成された雌ねじ１１ａ，１２ａからなる雌ねじ孔５に前記締付用ボルト９の雄ねじ部８を螺合させるようになっており、締付用ボルト９をばね１３力に抗して下方に押すことによりボルト支持部材１１，１２の雌ねじ１１ａ，１２ａ間の間隔が拡がり、雄ねじ部８と雌ねじ１１ａ，１２ａとの噛み合いが外れて締付用ボルト９を下方に押し込むことができるようになっていることである。
【００１０】
さらに詳細に述べると、上端の水平な板部６には開口部１０の周りに立ち上がり壁１４が形成され、この立ち上がり壁１４で囲まれる開口部１０の内面は下拡がり状に傾斜しており、この開口部１０内に下方からボルト支持部材１１，１２が嵌め込まれる。ボルト支持部材１１，１２は金属の板材を成形して作られており、一対が組み合わさった状態において上端に前記雌ねじ孔５が形成されるとともに前記開口部１０にセットされた状態において下拡がり状に傾斜する開口部１０の内面に面で当接するように上端の雌ねじ孔５形成部より下側が下拡がり状となるように作られ、下端に前記雌ねじ孔５に連通する貫通孔１５が形成された円形の筒部１６を備えている。なお、前記ボルト支持部材１１，１２の内、一方のボルト支持部材１１の上端近傍内面には小さな凸部１７が形成され、他方のボルト支持部材１２の上端近傍内面には前記凸部１７と係合する小さな凹部１８が形成されている。つまり、凸部１７と凹部１８が係合することにより一対のボルト支持部材１１，１２は互いに組み合わさった状態を保持するようになっている。また、前記金属線を折り曲げて作られたばね１３には中央に前記筒部１６に外嵌するコイル状部１３ａを備え、さらにこのコイル状部１３ａから両側方にほぼ水平に延びる部分１３ｂ，１３ｂを備えるとともにこのほぼ水平に延びる部分１３ｂ，１３ｂの端部から上向きに立ち上がる部分１３ｃ，１３ｃを備え、この上向きに立ち上がる部分１３ｃ，１３ｃの上端に前記上端の水平な板部６の幅方向両側近傍に形成された孔部６ａ，６ａに上側から係止する爪部１３ｄ，１３ｄを備えている。
【００１１】
上記構成の天井点検口の外枠吊り下げ用ハンガー金具１を用いて外枠２を吊り下げる手順について説明すると、天井上方のコンクリート面から垂下する吊り下げ金具（図示せず）の下端に支持された野縁１９の上に天井点検口の形成部の両側位置で一対の取付用野縁２０を載せて設け、また前記野縁１９の下側に天井材２１をビス止めなどにより取り付け、天井点検口配設位置において前記野縁１９および天井材２１を切り欠くことにより形成された開口部に前記外枠２を嵌め込み、外枠２の下端において外側に張り出すフランジ部２２の外周を前記天井材２１の下端に当てがった状態を保持すべく外枠２の上端のフランジ部３に内側より外枠吊り下げ用ハンガー金具１の前記係止片４を係合させるとともに前記上端の水平な板部６に設けた前記ボルト支持部材１１，１２の雌ねじ孔５に雄ねじ部８が螺合する締付用ボルト９を下向きに押すことによりボルト支持部材１１，１２は前記ばね１３力に抗して下方に動き、これによりボルト支持部材１１，１２の雌ねじ１１ａ，１２ａ間の間隔が自由に拡がり、締付用ボルト９は雌ねじ孔５との噛み合いが外れて下端が取付用野縁２０の上面に近接するまで下方に移動し、その後締付用ボルト９をしてボルト支持部材１１，１２を下向きに押す力を解除した状態でボルト支持部材１１，１２の雌ねじ孔５に螺合する締付用ボルト９をねじ込むことにより下端が取付用野縁２０の上面に圧接して外枠２の取り付けが行なわれる。なお、外枠２は平面形状が矩形であり、前記一対の取付用野縁２０と平行に位置する外枠２の一対の対向部において外枠２に外枠吊り下げ用ハンガー金具１の係止片４を係合させるのである。２３は前記外枠２の内側に外枠２に対して回動自在に設けられる内枠で、この内枠２３の下端において外側に張り出すフランジ部２４を外枠２の下端において内側に張り出すフランジ部２５に下側から近接するように構成されている。２６は内枠２３の下端において内側に張り出すフランジ部２７上に載るように設けられる天井材で、前記天井材２１と同じ材料からなるものが使用される。
【００１２】
以上述べたように、本実施の形態の天井点検口の外枠吊り下げ用ハンガー金具１を用いることにより、外枠２の上端のフランジ部３に外枠吊り下げ用ハンガー金具１の係止片４を係合させた状態で締付用ボルト９を締め付けて締付用ボルト９の下端を取付用野縁２０の上面に圧接させる作業を短時間で行なえ、作業効率の向上を図ることができるものである。
【００１３】
ところで、以上述べた実施の形態において、水平な板部６に形成される開口部１０の形状は長方形に限定されるものではなく、長方形以外に正方形あるいは六角形などとし、この開口部１０に嵌め込まれるボルト支持部材１１，１２の外面も開口部１０に合わせて正方形あるいは六角形などとして、要は開口部１０にボルト支持部材１１，１２が回り止め状態で嵌め込まれるようにすれば良い。また、ボルト支持部材１１，１２は金属の板材を成形して作られる以外に、アルミダイカスト製あるいは合成樹脂製であっても良い。
【図面の簡単な説明】
【００１４】
【図１】本発明の一実施の形態における天井点検口の外枠吊り下げ用ハンガー金具の分解斜視図である。
【図２】同天井点検口の外枠吊り下げ用ハンガー金具の組み立て斜視図である。
【図３】同天井点検口の外枠吊り下げ用ハンガー金具の正面図である。
【図４】（ａ）〜（ｃ）は同外枠吊り下げ用ハンガー金具による外枠の吊り下げ手順を示す断面図である。
【符号の説明】
【００１５】
１              外枠吊り下げ用ハンガー金具
２              外枠
３              フランジ部
４              係止片
５              雌ねじ孔
６              板部
６ａ            孔部
７              板部
８              雄ねじ部
９              締付用ボルト
１０              開口部
１１，１２        ボルト支持部材
１１ａ，１２ａ    雌ねじ
１３              ばね
１３ａ            コイル状部
１３ｂ            ほぼ水平に延びる部分
１３ｃ            上向きに立ち上がる部分
１３ｄ            爪部
１４              立ち上がり壁
１５              貫通孔
１６              筒部
１７              凸部
１８              凹部
【図１】
2006233459.tif 000003
【図２】
2006233459.tif 000004
【図３】
2006233459.tif 000005
【図４】
2006233459.tif 000006